(57)【要約】【課題】取得された情報を用いて利便性や安全性などを向上させること。【解決手段】予め設置される設備に対する制御を行う制御システムであって、制御に用いられる情報を取得する情報取得部と、情報取得部によって取得された情報が所定の条件を満たした場合に、満たされた条件に対応する制御内容を、制御対象となる設備に対して実行する制御部と、を備える制御システム。【選択図】図１
2014192599.tif 000002
【特許請求の範囲】
【請求項１】
予め設置される設備に対する制御を行う制御システムであって、
制御に用いられる情報を取得する情報取得部と、
前記情報取得部によって取得された前記情報が所定の条件を満たした場合に、満たされた前記条件に対応する制御内容を、制御対象となる前記設備に対して実行する制御部と、
を備える制御システム。
【請求項２】
前記設備は端末装置であり、
前記情報は、前記端末装置の設置位置において取得された人の特徴量であり、
前記制御部は、前記特徴量に基づいて前記特徴量が取得された人が前記端末装置の正当なユーザであるか否か判定し、正当なユーザであると判定された場合に前記端末装置の電源をオンに制御する請求項１に記載の制御システム。
【請求項３】
前記設備は住宅に設置される室温調整設備又は給湯設備であり、
前記情報は、屋外に設置された端末検出部によって、前記住宅の住人であるユーザによって所持されている端末装置が検出されたか否かを表す情報であり、
前記制御部は、所定の前記端末検出部によって前記端末装置が検出された場合に、前記住宅に設置される前記室温調整設備又は前記給湯設備を動作させるように制御する、請求項１に記載の制御システム。
【請求項４】
前記設備は、エレベータであり、
前記情報は、前記エレベータが設置された建物の入り口に人が検出されたか否かを表す情報であり、
前記制御部は、前記建物の入り口に人が検出された場合に、前記エレベータを所定の階まで移動させて待機させる、請求項１に記載の制御システム。
【請求項５】
前記設備は、住宅に設置される設備であり、
前記情報は、所定の位置において前記住宅の住人が検出されたか否かを表す情報であり、
前記制御部は、前記住人が検出された位置に応じて、前記設備の動作を制御する請求項１に記載の制御システム。
【請求項６】
予め設置される設備に対する制御を行う制御方法であって、
制御システムが、制御に用いられる情報を取得する情報取得ステップと、
制御システムが、前記情報取得ステップにおいて取得された前記情報が所定の条件を満たした場合に、満たされた前記条件に対応する制御内容を、制御対象となる前記設備に対して実行する制御ステップと、
を有する制御方法。
【請求項７】
予め設置される設備に対する制御をコンピュータに実行させるためのコンピュータプログラムであって、
制御に用いられる情報を取得する情報取得ステップと、
前記情報取得ステップにおいて取得された前記情報が所定の条件を満たした場合に、満たされた前記条件に対応する制御内容を、制御対象となる前記設備に対して実行する制御ステップと、
をコンピュータに実行させるためのコンピュータプログラム。
【発明の詳細な説明】
【技術分野】
【０００１】
本発明は、取得された情報に応じて制御を行う技術に関する。
【背景技術】
【０００２】
従来、技術の発展に伴い種々の情報を取得する技術が提供されている。例えば、傾きを検出するセンサー、温度を検出するセンサー、湿度を検出するセンサー等のセンサーがある。他の例として、地域や宅内の電力需要に関する情報を取得するシステムや、天候に関する情報を取得するシステムなどがある。
これらの技術を用いることによって取得された情報は、様々な場面で活用されている。例えば、周囲温度、光、音および地理的位置を知覚できるセンサーによって収集したデータを使用して、知覚された状態に相関性があるテーマを選択する技術が提案されている（特許文献１参照）。
【先行技術文献】
【特許文献】
【０００３】
【特許文献１】特開２０１３−０３７６９９号公報
【発明の概要】
【発明が解決しようとする課題】
【０００４】
しかしながら、取得された情報が活用される場面は未だに十分とは言えない。例えば、職場や住宅に設置されるシステムにおいては、十分に情報が活用されてはいないという問題があった。
上記事情に鑑み、本発明は、取得された情報を用いて利便性や安全性などを向上させる技術の提供を目的としている。
【課題を解決するための手段】
【０００５】
本発明の一態様は、予め設置される設備に対する制御を行う制御システムであって、制御に用いられる情報を取得する情報取得部と、前記情報取得部によって取得された前記情報が所定の条件を満たした場合に、満たされた前記条件に対応する制御内容を、制御対象となる前記設備に対して実行する制御部と、を備える制御システムである。
【０００６】
本発明の一態様は、上記の制御システムであって、前記設備は端末装置であり、前記情報は、前記端末装置の設置位置において取得された人の特徴量であり、前記制御部は、前記特徴量に基づいて前記特徴量が取得された人が前記端末装置の正当なユーザであるか否か判定し、正当なユーザであると判定された場合に前記端末装置の電源をオンに制御する。
【０００７】
本発明の一態様は、上記の制御システムであって、前記設備は住宅に設置される室温調整設備又は給湯設備であり、前記情報は、屋外に設置された端末検出部によって、前記住宅の住人であるユーザによって所持されている端末装置が検出されたか否かを表す情報であり、前記制御部は、所定の前記端末検出部によって前記端末装置が検出された場合に、前記住宅に設置される前記室温調整設備又は前記給湯設備を動作させるように制御する。
【０００８】
本発明の一態様は、上記の制御システムであって、前記設備は、エレベータであり、前記情報は、前記エレベータが設置された建物の入り口に人が検出されたか否かを表す情報であり、前記制御部は、前記建物の入り口に人が検出された場合に、前記エレベータを所定の階まで移動させて待機させる。
【０００９】
本発明の一態様は、上記の制御システムであって、前記設備は、住宅に設置される設備であり、前記情報は、所定の位置において前記住宅の住人が検出されたか否かを表す情報であり、前記制御部は、前記住人が検出された位置に応じて、前記設備の動作を制御する。
【００１０】
本発明の一態様は、予め設置される設備に対する制御を行う制御方法であって、制御システムが、制御に用いられる情報を取得する情報取得ステップと、制御システムが、前記情報取得ステップにおいて取得された前記情報が所定の条件を満たした場合に、満たされた前記条件に対応する制御内容を、制御対象となる前記設備に対して実行する制御ステップと、を有する制御方法である。
【００１１】
本発明の一態様は、予め設置される設備に対する制御をコンピュータに実行させるためのコンピュータプログラムであって、制御に用いられる情報を取得する情報取得ステップと、前記情報取得ステップにおいて取得された前記情報が所定の条件を満たした場合に、満たされた前記条件に対応する制御内容を、制御対象となる前記設備に対して実行する制御ステップと、をコンピュータに実行させるためのコンピュータプログラムである。
【発明の効果】
【００１２】
本発明により、取得された情報を用いて利便性や安全性などを向上させることが可能となる。
【図面の簡単な説明】
【００１３】
【図１】制御システム１００のシステム構成を表すシステム構成図である。
【図２】制御システム１００の動作の流れを示すフローチャートの具体例である。
【図３】制御システム１００の第一実施形態（制御システム１００ａ）の機能構成を表す概略ブロック図である。
【図４】認証情報記憶部３０ａによって記憶される認証情報テーブルの具体例を示す図である。
【図５】第一実施形態における制御情報テーブルの具体例を示す図である。
【図６】制御システム１００の第二実施形態（制御システム１００ｂ）の機能構成を表す概略ブロック図である。
【図７】基地局情報記憶部３０ｂによって記憶される基地局情報テーブルの具体例を示す図である。
【図８】第二実施形態における制御情報テーブルの具体例を示す図である。
【図９】制御システム１００の第三実施形態（制御システム１００ｃ）の機能構成を表す概略ブロック図である。
【図１０】認証情報記憶部３０ｃによって記憶される認証情報テーブルの具体例を示す図である。
【図１１】第三実施形態における制御情報テーブルの具体例を示す図である。
【図１２】居住者情報記憶部に記憶される居住者情報テーブルの具体例を示す図である。
【図１３】制御システム１００の第四実施形態（制御システム１００ｄ）の機能構成を表す概略ブロック図である。
【図１４】認証情報記憶部３０ｄによって記憶される認証情報テーブルの具体例を示す図である。
【図１５】第四実施形態における制御情報テーブルの具体例を示す図である。
【発明を実施するための形態】
【００１４】
［概略］
図１は、制御システム１００のシステム構成を表すシステム構成図である。制御システム１００は、情報取得部１１、制御情報記憶部１２、制御部１３及び制御対象２０を備える。
情報取得部１１は、所定の情報を取得する。情報取得部１１は、例えばセンサーを備えることによって、センサーによって検出された情報を取得しても良い。情報取得部１１は、他の装置によって取得された情報を、ネットワークを介して取得しても良い。情報取得部１１は、他の装置と通信を行う事によって情報を取得しても良い。
【００１５】
情報取得部１１は、例えばセンサーそのものであっても良いし、センサーや通信機能を備えた端末装置であっても良い。端末装置の具体例として、携帯電話機、スマートフォン、タブレット、ノート型パソコン、腕時計等の装着型端末、ゲーム機器、家電機器などがある。
【００１６】
情報取得部１１のより具体的な例を以下に列挙する。情報取得部１１は、温度センサーを備え、周囲又は対象物体の温度を取得する。情報取得部１１は、照度センサーを備え、周囲の照度を取得する。情報取得部１１は、マイクを備え、所定の空間の音量に関する情報を取得する。情報取得部１１は、人感センサーを備え、所定の空間に人物が存在するか否かを表す情報を取得する。情報取得部１１は、カメラを備え、カメラによって撮像された人物の顔画像に基づいて認証処理を行い、人物に関する情報を取得する。情報取得部１１は、カメラを備え、カメラによって撮像された人物の認証に用いられる特徴量を取得する。情報取得部１１は、バーコードスキャナーを備え、近接したバーコードに基づいてバーコードが付与された物体に関する情報を取得する。情報取得部１１は、クロックを備え、日時や現在時刻を取得する。情報取得部１１は、ネットワークを介して天候情報提供サーバーと通信することによって、現在の天候に関する情報や天候の予報に関する情報を取得する。情報取得部１１は、地震情報提供サーバーと通信することによって、地震に関する情報を取得する。情報取得部１１は、所定の地域における電力需要量に関する情報を提供するサーバーと通信することによって、電力需要量情報を取得する。情報取得部１１は、ＧＰＳ（グローバル・ポジショニング・システム：Global Positioning System）衛星と通信することによって、現在位置情報を取得する。
なお、情報取得部１１の構成は、上述した具体例に限定されない。
【００１７】
制御情報記憶部１２は、磁気ハードディスク装置や半導体記憶装置などの記憶装置を用いて構成される。制御情報記憶部１２は、制御情報テーブルを記憶する。制御情報テーブルは、情報取得部１１によって取得される情報に関する条件と、その条件が満たされた場合に実行される制御の内容とが対応付けられたテーブルである。
【００１８】
制御部１３は、制御情報記憶部１２に記憶される制御情報テーブルを参照し、情報取得部１１によって取得された情報に基づいて、満たされた条件が存在するか否か判定する。制御部１３は、満たされた条件が存在しない場合制御を実行しない。一方、満たされた条件が存在する場合、制御部１３は、満たされた条件に対応付けられた制御の内容を実行する。なお、制御対象２０のユーザによって制御対象２０の設定や動作内容が変更されたりオン・オフが変更された場合は、ユーザによる設定が優先される。
【００１９】
制御部１３は、例えばバスで接続されたＣＰＵ（Central Processing Unit）やメモリや補助記憶装置などを備え、制御プログラムを実行することによって機能する。なお、制御部１３は、ＡＳＩＣ（Application Specific Integrated Circuit）やＰＬＤ（Programmable Logic Device）やＦＰＧＡ（Field Programmable Gate Array）等のハードウェアを用いて実現されても良い。制御プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスクや半導体記憶装置（例えばＳＳＤ：Solid State Drive、フラッシュメモリ）等の記憶装置である。制御プログラムは、電気通信回線を介して提供されても良い。
制御対象２０は、制御部１３によって制御される対象の装置やシステムである。
【００２０】
制御システム１００の具体的な構成は、どのような態様で実現されても良い。例えば、情報取得部１１と制御情報記憶部１２と制御部１３とが一体の装置として構成されても良い。また、制御情報記憶部１２と制御部１３とがそれぞれ異なる装置として構成されても良い。また、制御情報記憶部１２と制御部１３とは、ネットワーク上のサーバによってクラウドとして実装されても良い。また、制御対象２０と制御部１３とが一体の装置として構成されても良い。また、制御対象２０と制御情報記憶部１２と制御部１３とが一体の装置として構成されても良い。また、制御部１３が、その機能に応じて複数の装置として構成されても良い。また、制御情報記憶部１２が、記憶するテーブル毎に異なる装置として構成されても良い。また、情報取得部１１は複数備えられても良い。また、制御部１３には複数の制御対象２０が接続されても良い。制御システム１００は、制御対象２０を制御可能であれば、他のどのような構成によって実現されても良い。
【００２１】
図２は、制御システム１００の動作の流れを示すフローチャートの具体例である。まず、情報取得部１１が所定の情報を取得する（ステップＳ１０１）。次に、制御部１３が、制御情報記憶部１２に記憶される制御情報テーブルを参照し、情報取得部１１によって取得された情報に基づいて、満たされた条件が存在するか否か判定する（ステップＳ１０２）。満たされた条件が存在しない場合（ステップＳ１０２−ＮＯ）、制御部１３は特に処理を行わず、ステップＳ１０１の処理に戻る。
【００２２】
一方、満たされた条件が存在する場合（ステップＳ１０２−ＹＥＳ）、制御部１３は、満たされた条件に対応付けられた制御の内容を取得する。制御部１３は、取得された制御の内容を実行するか否か判定する（ステップＳ１０３）。この判定は種々の観点から行われる。例えば、制御部１３は、取得された制御の内容が実行中である場合又は既に制御後の状態となっている場合には、実行しないと判定する。具体例を挙げて制御部１３のステップＳ１０３の処理について説明する。例えば、制御の内容が“窓を１０ｃｍ開ける”であり、窓を１０ｃｍ開けるための動作が行われている最中である場合には、制御部１３は制御を実行しないと判定する。また、制御の内容が“窓を１０ｃｍ開ける”であり、既に窓が２０ｃｍ開いている場合には、制御部１３は制御を実行しないと判定する。
【００２３】
制御部１３は、取得された制御の内容を実行しないと判定した場合（ステップＳ１０３−ＮＯ）、特に処理を行わず、ステップＳ１０１の処理に戻る。一方、取得された制御の内容を実行すると判定した場合（ステップＳ１０３−ＹＥＳ）、制御部１３は、取得された制御の内容を実行する（ステップＳ１０４）。そして、ステップＳ１０１の処理に戻る。
以下、本発明の一実施形態である制御システム１００の複数の具体例について詳細に説明する。
【００２４】
［第一実施形態］
図３は、制御システム１００の第一実施形態（制御システム１００ａ）の機能構成を表す概略ブロック図である。
制御システム１００ａは、情報取得部１１の具体例として時刻取得部１１ａ−１、人検出部１１ａ−２及び特徴量取得部１１ａ−３を備え、制御対象２０の具体例として端末装置２０ａ−１を備える。
【００２５】
時刻取得部１１ａ−１は、現在時刻を取得する。時刻取得部１１ａ−１は、クロックを備え、クロックから出力される信号に基づいて現在時刻を取得しても良い。時刻取得部１１ａ−１は、外部装置から時刻を表す信号を受信することによって現在時刻を取得しても良い。
【００２６】
人検出部１１ａ−２は、人体感知センサを用いて構成され、所定の領域毎に人が存在するか否かを検出する。所定の領域は、端末装置２０ａ−１毎に設定される。すなわち、人検出部１１ａ−２が人の存在を検出する対象となる所定の領域は、端末装置２０ａ−１を操作する際に位置することとなる領域（例えば、端末装置２０ａ−１が設置された机の座席：以下、「操作位置」という。）である。人検出部１１ａ−２は、端末装置２０ａ−１毎に、端末装置２０ａ−１を操作するための位置（操作位置）に人が検出されたか否かを出力する。人体感知センサは、例えばサーモグラフィーと画像解析装置を用いて構成されても良いし、カメラと画像解析装置を用いて構成されても良い、重量感知センサを用いて構成されても良いし、他の態様で構成されても良い。
【００２７】
特徴量取得部１１ａ−３は、操作位置毎に、その操作位置に存在する人の特徴量を取得する。特徴量は、例えば、顔の画像から検出される特徴量であっても良いし、指紋の画像から検出される特徴量であっても良いし、虹彩の画像から検出される特徴量であっても良い。
端末装置２０ａ−１は、例えばパーソナルコンピュータ、タブレット、ワークステーション、専用端末などの装置である。
【００２８】
制御部１３ａは、時刻取得部１１ａ−１によって取得された時刻と、人検出部１１ａ−２による人の検出結果と、特徴量取得部１１ａ−３によって取得された特徴量と、に応じた制御情報を制御情報テーブルから取得する。制御部１３ａは、取得された制御情報に応じた制御を、端末装置２０ａ−１に対して実行する。
【００２９】
図４は、認証情報記憶部３０ａによって記憶される認証情報テーブルの具体例を示す図である。認証情報記憶部３０ａは、磁気ハードディスク装置や半導体記憶装置などの記憶装置を用いて構成される。認証情報記憶部３０ａによって記憶される認証情報テーブルには、複数のレコード９１ａが登録されている。レコード９１ａは、端末ＩＤ及び特徴量の値を有する。端末ＩＤは、各端末装置２０ａ−１の識別情報である。特徴量は、各端末装置２０ａ−１の正当なユーザの特徴量である。例えば、端末ＩＤが“ＰＣ１１”である端末装置２０ａ−１の正当なユーザの特徴量はＵ１１である。認証情報テーブルは、予め認証情報記憶部３０ａに設定されている。
【００３０】
図５は、第一実施形態における制御情報テーブルの具体例を示す図である。制御情報記憶部１２ａによって記憶される制御情報テーブルには、時刻条件、認証条件及び制御情報が対応付けて登録されている。時刻条件は、情報が取得された時刻の条件である。認証条件は、図４に示される認証情報記憶部３０ａに基づいて行われた認証の結果を表す。具体的には、特徴量取得部１１ａ−３によって取得された特徴量が、その位置の端末装置２０ａ−１の正当なユーザであることを表す条件である。制御情報は、端末装置２０ａ−１に対する制御内容を表す。図５に表される具体例では、制御情報の値として、端末装置２０ａ−１の電源をオンにすることが設定されている。
【００３１】
制御部１３ａは、人検出部１１ａ−２及び特徴量取得部１１ａ−３によって情報が取得された時刻が所定時刻（例えば、午前８時〜午前８時３０分の間）であって、認証結果が正当ユーザである場合、端末装置２０ａ−１の電源をオンにするように制御する。
【００３２】
このように構成された制御システム１００ａでは、人が検出されたか否か及び検出された人の特徴量と、情報が取得された時刻とに応じて、端末装置２０ａ−１の電源がオンに制御される。そのため、正当なユーザは、操作位置に移動するだけ（又は着席するだけ）で、特に操作を行うことなく端末装置２０ａ−１を操作することが可能となる。
【００３３】
＜変形例＞
時刻条件及び認証条件に加えてさらに他の条件にも基づいて制御内容が決定されても良い。例えば、日時という条件がさらに与えられても良い。
端末装置２０ａ−１は、制御部１３ａによる制御のみによって電源がオンとなるように構成されても良い。このように構成された場合、端末装置２０ａ−１が正当ユーザではない者によって勝手に使用されてしまうことを防止できる。また、たとえ正当ユーザであっても、所定の時間帯（例えば通勤が認められている時間帯）に操作位置へ移動しなければ端末装置２０ａ−１の電源を勝手にオンできなくなる。そのため、遅刻などによって所定の時間帯に操作位置にいなかったユーザを割り出すことが可能となる。
人検出部１１ａ−２は必ずしも備えられなくても良い。すなわち、特徴量取得部１１ａ−３によって人の特徴量が取得された場合に、制御部１３ａは、特徴量が取得された位置で人が検出されたと判定しても良い。
【００３４】
［第二実施形態］
図６は、制御システム１００の第二実施形態（制御システム１００ｂ）の機能構成を表す概略ブロック図である。
制御システム１００ｂは、情報取得部１１の具体例として時刻取得部１１ｂ−１及び端末検出部１１ｂ−２を備え、制御対象２０の具体例として室温調整システム２０ｂ−１及び給湯システム２０ｂ−２を備える。
【００３５】
時刻取得部１１ｂ−１は、現在時刻を取得する。時刻取得部１１ｂ−１は、クロックを備え、クロックから出力される信号に基づいて現在時刻を取得しても良い。時刻取得部１１ｂ−１は、外部装置から時刻を表す信号を受信することによって現在時刻を取得しても良い。
【００３６】
端末検出部１１ｂ−２は、自装置の通信可能な領域に侵入した端末装置の識別情報（以下、「端末ＩＤ」という。）を取得する。端末検出部１１ｂ−２は、所定のタイミングで、検出された端末の端末ＩＤと、自装置に設定されている識別情報（以下、「基地局ＩＤ」という。）とを対応付けて制御部１３ｂに出力する。端末検出部１１ｂ−２は、例えば街中などに設置された携帯電話の基地局装置であっても良いし、無線ＬＡＮ（Local Area Network）の基地局装置であっても良いし、他の無線通信の基地局装置であっても良い。また、端末検出部１１ｂ−２は、基地局装置である必要は無く、単に端末装置を検出する装置であっても良い。なお、端末検出部１１ｂ−２によって検出される端末装置は、例えば携帯電話機、モバイルルーター、スマートフォン、タブレット、ノート型パソコン、携帯型ゲーム機などである。
【００３７】
室温調整システム２０ｂ−１は、制御部１３ｂによる制御にしたがって、換気システム、窓開閉装置、空調機、オイルヒーター、床暖房等の運転をそれぞれ制御し、室温調整システム２０ｂ−１が設置された建物（以下、「制御対象建物」という。）の室内の温度を適温に調整する。
給湯システム２０ｂ−２は、制御対象建物に設置された風呂場の湯船に適温のお湯を張る処理を行う。
【００３８】
図７は、基地局情報記憶部３０ｂによって記憶される基地局情報テーブルの具体例を示す図である。基地局情報記憶部３０ｂは、磁気ハードディスク装置や半導体記憶装置などの記憶装置を用いて構成される。基地局情報記憶部３０ｂによって記憶される基地局情報テーブルには、複数のレコード９１ｂが登録されている。レコード９１ｂは、基地局ＩＤ及び領域ＩＤの値を有する。領域ＩＤは、基地局が設置されている領域の識別情報である。例えば、領域ＩＤ“Ａ１１”が示す領域には、３台の基地局“ＡＰ１１”、“ＡＰ１２”、“ＡＰ１３”が設置されている。基地局情報テーブルは、予め基地局情報記憶部３０ｂに設定されている。
【００３９】
図８は、第二実施形態における制御情報テーブルの具体例を示す図である。制御情報記憶部１２ｂによって記憶される制御情報テーブルには、複数のレコード９０ｂが登録されている。レコード９０ｂは、時刻条件、端末ＩＤ条件、領域条件及び制御情報の値を有する。時刻条件は、情報が取得された時刻の条件である。端末ＩＤ条件は、端末検出部１１ｂ−２によって検出された端末ＩＤの条件である。領域条件は、端末ＩＤを検出した端末検出部１１ｂ−２が設置されている領域の条件である。制御情報は、室温調整システム２０ｂ−１及び給湯システム２０ｂ−２に対する制御内容を表す。図８に表される具体例では、制御情報の値として２つの値が示されている。これら２つの値は、左から順に室温調整システム２０ｂ−１、給湯システム２０ｂ−２に対する制御内容を表している。
【００４０】
室温調整システム２０ｂ−１に対する制御の内容は、電源をオンにするか否かを示す。
給湯システム２０ｂ−２に対する制御の内容は、お湯張りを開始するか否かを表す。
制御部１３ｂは、端末検出部１１ｂ−２から検出結果を受信すると、その時点の時刻を時刻取得部１１ｂ−１の出力に基づいて取得する。制御部１３ｂは、端末を検出した端末検出部１１ｂ−２の基地局ＩＤと基地局情報テーブルとに基づいて、端末が検出された領域の領域ＩＤを取得する。制御部１３ｂは、取得した時刻と、端末検出部１１ｂ−２によって検出された端末の端末ＩＤと、基地局情報テーブルに基づいて取得した領域ＩＤとに基づいて、全ての条件に適合するレコード９０ｂの有無を判定する。全ての条件に適合するレコード９０ｂが存在する場合、制御部１３ｂは、そのレコード９０ｂの制御情報に従って室温調整システム２０ｂ−１及び給湯システム２０ｂ−２を制御する。
【００４１】
このように構成された制御システム１００ｂでは、端末装置が検出された時間帯及び領域に応じて、制御対象建物における室温調整システム２０ｂ−１及び給湯システム２０ｂ−２が制御される。例えば、会社から帰宅する時間帯に端末が検出された場合には、帰宅した時点で室温が適温に制御されており、湯船にお湯が張られた状態となっている。そのため、端末装置を所持しているユーザは、自身の住宅（制御対象建物）に帰宅する前に、室温を適温にし、湯船にお湯が張られた状態となるように準備を開始することが可能となる。より具体的には、給湯システム２０ｂ−２がお湯を張るのに要する時間と、端末装置を所持しているユーザが自宅に到着するまでに要する時間と、に基づいて領域条件が設定されても良い。例えば、給湯システム２０ｂ−２がお湯を張るのに要する時間と端末を所持しているユーザが自宅に到着するまでに要する時間とが一致するように、領域条件が設定されても良い。
【００４２】
＜変形例＞
時刻条件、端末ＩＤ条件及び領域条件に加えてさらに他の条件にも基づいて制御内容が決定されても良い。例えば、天候という条件がさらに与えられても良い。
時刻条件は必ずしも設定されなくとも良い。すなわち、制御部１３ｂは、端末ＩＤ及び領域条件に基づいて制御を行うか否か判定しても良い。
【００４３】
［第三実施形態］
図９は、制御システム１００の第三実施形態（制御システム１００ｃ）の機能構成を表す概略ブロック図である。
制御システム１００ｃは、情報取得部１１の具体例として人検出部１１ｃ−１及び特徴量取得部１１ｃ−２を備え、制御対象２０の具体例としてエレベータ２０ｃ−１を備える。本実施形態において、エレベータ２０ｃ−１が設置された建物を制御対象建物という。
【００４４】
人検出部１１ｃ−１は、人体感知センサを用いて構成され、所定の領域に人が存在するか否かを検出する。所定の領域は、制御対象建物の入り口に設定される。人体感知センサは、例えばサーモグラフィーと画像解析装置を用いて構成されても良いし、カメラと画像解析装置を用いて構成されても良い、重量感知センサを用いて構成されても良いし、他の態様で構成されても良い。
特徴量取得部１１ｃ−２は、制御対象建物の入り口に位置する人の特徴量を取得する。特徴量は、例えば、顔の画像から検出される特徴量であっても良いし、指紋の画像から検出される特徴量であっても良いし、虹彩の画像から検出される特徴量であっても良い。
【００４５】
エレベータ２０ｃ−１は、制御対象建物に設置されたエレベータである。
制御部１３ｃは、人検出部１１ｃ−１による人の検出結果と、特徴量取得部１１ｃ−２によって取得された特徴量と、に応じた制御情報を制御情報テーブルから取得する。制御部１３ｃは、取得された制御情報に応じた制御を、エレベータ２０ｃ−１に対して実行する。
【００４６】
図１０は、認証情報記憶部３０ｃによって記憶される認証情報テーブルの具体例を示す図である。認証情報記憶部３０ｃは、磁気ハードディスク装置や半導体記憶装置などの記憶装置を用いて構成される。認証情報記憶部３０ｃによって記憶される認証情報テーブルには、複数のレコード９１ｃが登録されている。レコード９１ｃは、ユーザＩＤ及び特徴量の値を有する。ユーザＩＤは、制御対象建物に住んでいる住人の識別情報である。特徴量は、各ユーザの特徴量である。例えば、ユーザＩＤが“Ｒ１１”であるユーザの特徴量はＵ１１である。認証情報テーブルは、予め認証情報記憶部３０ｃに設定されている。
【００４７】
図１１は、第三実施形態における制御情報テーブルの具体例を示す図である。制御情報記憶部１２ｃによって記憶される制御情報テーブルには、認証条件及び制御情報が対応付けて登録されている。認証条件は、図１０に示される認証情報記憶部３０ｃに基づいて行った認証の結果を表す。具体的には、特徴量取得部１１ｃ−２によって取得された特徴量が、制御対象建物の住人の特徴量であることを表す条件である。制御情報は、エレベータ２０ｃ−１に対する制御内容を表す。図１１に表される具体例では、制御情報の値として、エレベータを入り口が存在する階で待機させることが設定されている。
【００４８】
制御部１３ｃは、特徴量取得部１１ｃ−２によって特徴量が取得されると、認証情報テーブルを参照することによって、特徴量が取得された人物が制御対象建物の住人であるか否か判定する。制御部１３ｃは、特徴量が取得された人物が制御対象建物の住人である場合、エレベータ２０ｃ−１を制御し入り口が存在する階に待機させる。
【００４９】
このように構成された制御システム１００ｃでは、人が検出されたか否か及び検出された人の特徴量に応じて、エレベータ２０ｃ−１が制御される。そのため、住人は、殆ど待ち時間無くエレベータ２０ｃ−１に乗り込むことが可能となる。
【００５０】
＜変形例＞
認証条件に加えてさらに他の条件にも基づいて制御内容が決定されても良い。例えば、時間帯という条件がさらに与えられても良い。
制御部１３ｃがエレベータを待機させる階は入り口が存在する階に限定されない。例えば、入り口を通過した人が最初にエレベータに乗り込む階であれば、入り口と同じ階に限定される必要は無い。
【００５１】
人検出部１１ｃ−１は必ずしも備えられなくても良い。すなわち、特徴量取得部１１ｃ−２によって人の特徴量が取得された場合に、制御部１３ｃは、入り口で人が検出されたと判定しても良い。
制御部１３ｃは、検出された特徴量に対応するユーザＩＤに応じて、エレベータが止まる階を制御しても良い。このように構成される場合、制御部１３ｃには、居住者情報記憶部が接続される。図１２は、居住者情報記憶部に記憶される居住者情報テーブルの具体例を示す図である。居住者情報テーブルには、複数のレコード９２ｃが登録されている。レコード９２ｃは、居住階及びユーザＩＤの値を有する。居住階は、対応するユーザＩＤのユーザ（住人）が居住している階数を表す。
【００５２】
制御部１３ｃは、特徴量取得部１１ｃ−２によって特徴量が取得されると、認証情報テーブルを参照することによって、特徴量が取得された人物のユーザＩＤを取得する。制御部１３ｃは、居住者情報テーブルを参照することによって、取得されたユーザＩＤに対応する階数を取得する。そして、制御部１３ｃは、エレベータ２０ｃ−１に人が乗り込むと、取得された階数のボタンが押された状態（すなわち、取得された階数に止まる状態）となるようにエレベータ２０ｃ−１を制御する。
【００５３】
このように構成されることにより、住人は、わざわざ自身が住んでいる階数のボタンをエレベータ２０ｃ−１内で押下することなく、自身が住んでいる階でエレベータ２０ｃ−１を止めることが可能となる。このような構成は、特に、買い物帰りなどで両手がふさがった状態である場合などに顕著な効果を奏する。
【００５４】
［第四実施形態］
図１３は、制御システム１００の第四実施形態（制御システム１００ｄ）の機能構成を表す概略ブロック図である。
制御システム１００ｄは、情報取得部１１の具体例として人検出部１１ｄ−１及び特徴量取得部１１ｄ−２を備え、制御対象２０の具体例としてセキュリティシステム２０ｄ−１、室内照明制御システム２０ｄ−２、室温調整システム２０ｄ−３及びテレビ受像機２０ｄ−４を備える。本実施形態において、セキュリティシステム２０ｄ−１、室内照明制御システム２０ｄ−２、室温調整システム２０ｄ−３及びテレビ受像機２０ｄ−４が設置された建物を制御対象建物という。
【００５５】
人検出部１１ｄ−１は、人体感知センサを用いて構成され、所定の領域毎に人が存在するか否かを検出する。所定の領域は、例えば制御対象建物の玄関や各部屋に設定される。人体感知センサは、例えばサーモグラフィーと画像解析装置を用いて構成されても良いし、カメラと画像解析装置を用いて構成されても良い、重量感知センサを用いて構成されても良いし、他の態様で構成されても良い。人検出部１１ｄ−１は、人が検出された領域（位置）がどこであるか出力する。
【００５６】
特徴量取得部１１ｄ−２は、所定の領域に位置する人の特徴量を取得する。特徴量は、例えば、顔の画像から検出される特徴量であっても良いし、指紋の画像から検出される特徴量であっても良いし、虹彩の画像から検出される特徴量であっても良い。
【００５７】
セキュリティシステム２０ｄ−１は、制御対象建物のセキュリティを管理する。例えば、セキュリティシステム２０ｄ−１は、制御対象建物の玄関の鍵の開閉を行う。
室内照明制御システム２０ｄ−２は、制御対象建物に設けられた照明を制御するシステムである。室内照明制御システム２０ｄ−２は、制御部１３ｄによる制御にしたがって、制御対象建物に設けられた一つ一つの照明の照度を複数の段階で調整する。
【００５８】
室温調整システム２０ｄ−３は、制御部１３ｄによる制御にしたがって、換気システム、窓開閉装置、空調機、オイルヒーター、床暖房等の運転をそれぞれ制御する。
テレビ受像機２０ｄ−４は、テレビ放送の電波を無線又は有線で受信し、映像を画面に出力する装置である。テレビ受像機２０ｄ−４は、制御部１３ｄによって電源と出力するチャンネルとが制御される。
【００５９】
図１４は、認証情報記憶部３０ｄによって記憶される認証情報テーブルの具体例を示す図である。認証情報記憶部３０ｄは、磁気ハードディスク装置や半導体記憶装置などの記憶装置を用いて構成される。認証情報記憶部３０ｄによって記憶される認証情報テーブルには、複数のレコード９１ｄが登録されている。レコード９１ｄは、ユーザＩＤ及び特徴量の値を有する。ユーザＩＤは、制御対象建物に住んでいる住人の識別情報である。特徴量は、各ユーザの特徴量である。例えば、ユーザＩＤが“Ｒ１１”であるユーザの特徴量はＵ１１である。認証情報テーブルは、予め認証情報記憶部３０ｄに設定されている。
【００６０】
図１５は、第四実施形態における制御情報テーブルの具体例を示す図である。制御情報記憶部１２ｄによって記憶される制御情報テーブルには、認証条件、位置条件及び制御情報が対応付けて登録されている。認証条件は、図１４に示される認証情報記憶部３０ｄに基づいて行った認証の結果を表す。具体的には、特徴量取得部１１ｄ−２によって取得された特徴量が、制御対象建物の住人の誰であるかを表す条件である。位置条件は、特徴量が取得された人の位置を表す条件である。制御情報は、セキュリティシステム２０ｄ−１、室内照明制御システム２０ｄ−２、室温調整システム２０ｄ−３及びテレビ受像機２０ｄ−４に対する制御内容を表す。図１５に表される具体例では、制御情報の値として４つの値が示されている。これら４つの値は、左から順にセキュリティシステム２０ｄ−１、室内照明制御システム２０ｄ−２、室温調整システム２０ｄ−３及びテレビ受像機２０ｄ−４に対する制御内容を表している。
【００６１】
例えば、特徴量が検出された位置が玄関である場合、その特徴量が住人のだれであったとしても、制御部１３ｄはセキュリティシステム２０ｄ−１を制御し玄関を解錠する。また、制御部１３ｄは、テレビ受像機２０ｄ−４の電源をオンする。ただし、この場合、制御部１３は室内照明制御システム２０ｄ−２及び室温調整システム２０ｄ−３に対しては制御を行わない。
【００６２】
例えば、特徴量が検出された位置がリビングであり且つユーザＩＤが“Ｒ１１”である場合、制御部１３ｄはリビングの照明が弱となるように室内照明制御システム２０ｄ−２を制御し、リビングの室内温度が２１度となるように室温調整システム２０ｄ−３を制御し、表示される映像のチャンネルが“３１チャンネル”となるようにテレビ受像機２０ｄ−４を制御する。
【００６３】
一方、特徴量が検出された位置がリビングであり且つユーザＩＤが“Ｒ２１”である場合、制御部１３ｄはリビングの照明が中となるように室内照明制御システム２０ｄ−２を制御し、リビングの室内温度が２４度となるように室温調整システム２０ｄ−３を制御し、表示される映像のチャンネルが“５１チャンネル”となるようにテレビ受像機２０ｄ−４を制御する。
【００６４】
このように構成された制御システム１００ｄでは、制御対象建物の住人は、帰宅し玄関に到着した際に、特に操作をすることなく、自宅の玄関を解錠させることが可能となる。さらに、テレビ受像機２０ｄ−４の電源をオンにすることが可能となる。
また、このように構成された制御システム１００ｄでは、人が検出されたか否か及び検出された人の特徴量に応じて、セキュリティシステム２０ｄ−１、室内照明制御システム２０ｄ−２、室温調整システム２０ｄ−３及びテレビ受像機２０ｄ−４が制御される。そのため、制御対象建物の住人は、特に操作をすることなく、自身に合った室温、照明、テレビチャンネルでくつろぐことが可能となる。
【００６５】
＜変形例＞
認証条件及び位置条件に加えてさらに他の条件にも基づいて制御内容が決定されても良い。例えば、時間帯という条件がさらに与えられても良い。この場合、時間帯に応じてテレビチャンネルや照明の明るさなどを細かく制御することが可能となる。
人検出部１１ｄ−１は必ずしも備えられなくても良い。すなわち、特徴量取得部１１ｄ−２によって人の特徴量が取得された場合に、制御部１３ｄは、特徴量が取得された位置で人が検出されたと判定しても良い。
制御対象２０として、音響システムが備えられても良い。この場合、制御部１３ｄは、認証条件及び位置条件に応じて、音響システムの電源や、音響システムから出力される音量や、音質などを制御しても良い。
以上、この発明の実施形態について図面を参照して詳述してきたが、具体的な構成はこの実施形態に限られるものではなく、この発明の要旨を逸脱しない範囲の設計等も含まれる。
【符号の説明】
【００６６】
１００…制御システム，  １１…情報取得部，  １２…制御情報記憶部，  １３…制御部，  ２０…制御対象，  １１ａ−１，１１ｂ−１…時刻取得部，  １１ａ−２，１１ｃ−１，１１ｄ−１…人検出部，  １１ａ−３，１１ｃ−２，１１ｄ−２…特徴量取得部，  １１ｂ−２…端末検出部，  ２０ａ−１…端末装置，  ２０ｂ−１，２０ｄ−３…室温調整システム，  ２０ｂ−２…給湯システム，  ２０ｃ−１…エレベータシステム，  ２０ｄ−１…セキュリティシステム，  ２０ｄ−２…室内照明制御システム，  ２０ｄ−４…テレビ受像機，  ３０ａ，３０ｃ，３０ｄ…認証情報記憶部，  ３０ｂ…基地局情報記憶部
【図１】
2014192599.tif 000003
【図２】
2014192599.tif 000004
【図３】
2014192599.tif 000005
【図４】
2014192599.tif 000006
【図５】
2014192599.tif 000007
【図６】
2014192599.tif 000008
【図７】
2014192599.tif 000009
【図８】
2014192599.tif 000010
【図９】
2014192599.tif 000011
【図１０】
2014192599.tif 000012
【図１１】
2014192599.tif 000013
【図１２】
2014192599.tif 000014
【図１３】
2014192599.tif 000015
【図１４】
2014192599.tif 000016
【図１５】
2014192599.tif 000017